(57)【特許請求の範囲】
【請求項１】
パウダーを収容する上部ケース及び前記上部ケースに着脱する下部ケースを備えているケース部；
前記上部ケース及び前記下部ケースの間で前記下部ケースに装着されたガイド部；
前記ガイド部及び前記下部ケースの間で前記下部ケースの内側に装着され、時変磁場（ｔｉｍｅｖａｒｙｉｎｇ ｍａｇｎｅｔｉｃ ｆｉｅｌｄ）を生成する磁場発生部；
前記磁場の変化によって前記下部ケースの内側で前記ガイド部を貫通して運動する磁性体結合部；
前記磁性体結合部上で前記ガイド部に形成されたガイドホールを貫通した前記磁性体結合部に装着され、前記磁性体結合部の運動を限定する動作板；及び
前記動作板の運動によって振動するように前記ガイド部を取り囲むパフパッドを含んでなり、
前記動作板が運動して前記ガイド部の底面に接触しても、前記パフパッドの内部空間を維持するための空間確保突起が前記ガイド部の底面に備え付けられていることを特徴とする、美容装置。
【請求項２】
前記動作板は、前記空間確保突起が貫通する突起貫通孔を含むことを特徴とする、請求項１に記載の美容装置。
【請求項３】
パウダーを収容する上部ケース及び前記上部ケースに着脱する下部ケースを備えているケース部；
前記上部ケース及び前記下部ケースの間で前記下部ケースに装着されたガイド部；
前記ガイド部及び前記下部ケースの間で前記下部ケースの内側に装着され、時変磁場（ｔｉｍｅｖａｒｙｉｎｇ ｍａｇｎｅｔｉｃｆｉｅｌｄ）を生成する磁場発生部；
前記磁場の変化によって前記下部ケースの内側で前記ガイド部を貫通して運動する磁性体結合部；
前記磁性体結合部上で前記ガイド部に形成されたガイドホールを貫通した前記磁性体結合部に装着され、前記磁性体結合部の運動を限定する動作板；及び
前記動作板の運動によって振動するように前記ガイド部を取り囲むパフパッドを含んでなり、
前記ガイド部は、前記ガイドホールの内側に伸びて前記磁性体結合部の運動を限定するフランジ部を含むことを特徴とする、美容装置。
【請求項４】
パウダーを収容する上部ケース及び前記上部ケースに着脱する下部ケースを備えているケース部；
前記上部ケース及び前記下部ケースの間で前記下部ケースに装着されたガイド部；
前記ガイド部及び前記下部ケースの間で前記下部ケースの内側に装着され、時変磁場（ｔｉｍｅｖａｒｙｉｎｇ ｍａｇｎｅｔｉｃｆｉｅｌｄ）を生成する磁場発生部；
前記磁場の変化によって前記下部ケースの内側で前記ガイド部を貫通して運動する磁性体結合部；
前記磁性体結合部上で前記ガイド部に形成されたガイドホールを貫通した前記磁性体結合部に装着され、前記磁性体結合部の運動を限定する動作板；及び
前記動作板の運動によって振動するように前記ガイド部を取り囲むパフパッドを含んでなり、
前記磁性体結合部は、
前記ガイドホールを貫通して前記動作板が装着される動作板装着部；
前記動作板装着部から伸び、前記磁場変化によって前記磁性体結合部を運動させるための磁性体が装着される磁性体装着部；及び
前記磁性体結合部及び前記磁性体装着部を連結し、前記ガイドホールの内側に伸びたフランジ部の下面に接触することによって前記磁性体結合部の運動を限定するフランジ接触部を含むことを特徴とする、美容装置。
【請求項５】
パウダーを収容する上部ケース及び前記上部ケースに着脱する下部ケースを備えているケース部；
前記上部ケース及び前記下部ケースの間で前記下部ケースに装着されたガイド部；
前記ガイド部及び前記下部ケースの間で前記下部ケースの内側に装着され、時変磁場（ｔｉｍｅｖａｒｙｉｎｇ ｍａｇｎｅｔｉｃｆｉｅｌｄ）を生成する磁場発生部；
前記磁場の変化によって前記下部ケースの内側で前記ガイド部を貫通して運動する磁性体結合部；
前記磁性体結合部上で前記ガイド部に形成されたガイドホールを貫通した前記磁性体結合部に装着され、前記磁性体結合部の運動を限定する動作板；及び
前記動作板の運動によって振動するように前記ガイド部を取り囲むパフパッドを含んでなり、
前記ガイド部の底面または前記動作板の下面に形成され、前記ガイド部及び前記動作板の接触によって発生する騷音を除去するための騷音防止部を含むことを特徴とする、美容装置。
【請求項６】
パウダーを収容する上部ケース及び前記上部ケースに着脱する下部ケースを備えているケース部；
前記上部ケース及び前記下部ケースの間で前記下部ケースに装着されたガイド部；
前記ガイド部及び前記下部ケースの間で前記下部ケースの内側に装着され、時変磁場（ｔｉｍｅｖａｒｙｉｎｇ ｍａｇｎｅｔｉｃｆｉｅｌｄ）を生成する磁場発生部；
前記磁場の変化によって前記下部ケースの内側で前記ガイド部を貫通して運動する磁性体結合部；
前記磁性体結合部上で前記ガイド部に形成されたガイドホールを貫通した前記磁性体結合部に装着され、前記磁性体結合部の運動を限定する動作板；及び
前記動作板の運動によって振動するように前記ガイド部を取り囲むパフパッドを含んでなり、
前記ガイドホールの内側に伸びて前記磁性体結合部の運動を限定するフランジ部の下面または前記フランジ部の下面に接触することによって前記磁性体結合部の運動を限定するフランジ接触部に形成され、前記フランジ部及び前記フランジ接触部の接触によって発生する騷音を除去するための騷音防止部を含むことを特徴とする、美容装置。
【請求項７】
前記磁場発生部は、
前記下部ケースの内側に装着された回路基板上に形成された交流波形発生部；
前記下部ケースの内側に装着され、前記磁性体結合部に装着された磁性体を取り囲むように形成されたコイル；及び
前記交流波形発生部の動作を制御するように前記回路基板上に形成された制御部を含むことを特徴とする、請求項１、３〜６のいずれかに記載の美容装置。
【請求項８】
前記磁場発生部は、前記下部ケースの外側に装着されたスイッチ部のオン／オフ動作によって、前記下部ケースの内側に装着された電源部と電気的に連結されることを特徴とする、請求項７に記載の美容装置。
【発明の詳細な説明】
【技術分野】
【０００１】
本発明は美容装置に係り、より詳しくはパフパッドに収容されるガイド部の底面に空間確保突起（space securing boss）を形成することにより、パフパッドを皮膚に接触させて圧力をかけてもパフパッドの内部空間を確保することができ、美容装置の使用感を向上させることができる上下動作機能を持つ美容装置に関する。
【背景技術】
【０００２】
一般に、化粧とは化粧品を塗ってきれいにメークアップする行為をいうもので、身体の美しい部分は引き立つようにし、弱点部分は修正するとか偽装する手段として使われる。前記化粧は、おしろい下を塗った後、サンクリーム、メーキャップベース、プライマー、ビービークリーム、パウダー及びカラー化粧の順に進む。
【０００３】
特に、使用者は皮膚の表面に均一にパウダーを塗布するためにパフを使う。前記パフは指を挿入して皮膚に向かってたたくことでパウダーを塗布する製品と、モーターなどを用いて自動でパフを振動させてパウダーを皮膚に塗布する製品などが販売されている。
【０００４】
前記モーターなどを用いた自動パフの一例が図１ａ〜図１ｃに示されている。図１ａ〜図１ｃは従来技術の問題点を説明するための図である。
【０００５】
図１ａ〜図１ｃに示すように、従来の自動パフ５は、電動モーターなどを内蔵した胴体１上に装着されたパフパッド２を備えている。前記自動パフ５は、電動モーターに連結された作動軸が電動モーターの回転力によって動作しながらパフパッド２に振動を加えることでパウダーを皮膚に塗布することができる。しかし、従来の自動パフは指を差し込んで使用する手動パフに比べて楽に化粧することができるという利点を持つが、屈曲した皮膚、例えば顔面に自動パフを使う場合、パウダーを均一に塗布しにくいという欠点を持つ。
【０００６】
また、従来の自動パフは、パフパッドが作動軸に装着されているため、パフパッドの動く距離が長く、皮膚をたたく速度が遅く、たたく力を調節することが難しいという欠点を持つ。また、従来の自動パフは、皮膚に接触するときに圧力を過度に加える場合は、パフパッドの内部空間がなく、作動軸が動ける空間がないという欠点も持つ。よって、従来の電動パフはソフトなタッチができないため、使用者に多くの不便をもたらす。
【発明の概要】
【発明が解決しようとする課題】
【０００７】
本発明の目的は前述したような問題点を解決するためになされたもので、パフパッドに収容されるガイド部の底面に空間確保突起を形成することにより、パフパッドを皮膚に接触させて圧力をかけてもパフパッドの内部に最小領域を確保することができ、使用感を向上させることができる上下動作機能を持つ美容装置を提供することである。
【０００８】
また、本発明の目的は、パフパッドを振動させる時変磁場（時間的に変化する磁場）の振動数を調節することにより、皮膚に加わる打撃感を制御することができる上下動作機能を持つ美容装置を提供することである。
【０００９】
また、本発明の目的は、ガイド部の内側で時変磁場によって動作する磁性体結合部が、ガイド部から離脱することを防止することができる上下動作機能を持つ美容装置を提供することである。
【課題を解決するための手段】
【００１０】
前記目的を達成するために、本発明の実施例による上下動作機能を持つ美容装置は、パウダーを収容する上部ケース及び前記上部ケースに着脱する下部ケースを備えているケース部、前記上部ケース及び前記下部ケースの間で前記下部ケースに装着されたガイド部；前記ガイド部及び前記下部ケースの間で前記下部ケースの内側に装着され、時変磁場（ｔｉｍｅ ｖａｒｙｉｎｇ ｍａｇｎｅｔｉｃ ｆｉｅｌｄ）を生成する磁場発生部；前記磁場の変化によって前記下部ケースの内側で前記ガイド部を貫通して動作する磁性体結合部；前記磁性体結合部上で前記ガイド部に形成されたガイドホールを貫通した前記磁性体結合部に装着され、前記磁性体結合部の動作を限定する動作板；及び前記動作板の動作によって振動するように前記ガイド部を取り囲むパフパッドを含んでなる。
【００１１】
また、本発明の実施例による上下動作機能を持つ美容装置によれば、前記動作板が運動して前記ガイド部の底面に接触しても、前記パフパッドの内部空間を維持するための空間確保突起が前記ガイド部の底面に備え付けられていることを特徴とする。
【００１２】
また、本発明の実施例による上下動作機能を持つ美容装置によれば、前記動作板は、前記空間確保突起が貫通する突起貫通孔を含むことを特徴とする。
【００１３】
また、本発明の実施例による上下動作機能を持つ美容装置によれば、前記ガイド部は、前記ガイドホールの内側に伸びて前記磁性体結合部の運動を限定するフランジ部を含むことを特徴とする。
【００１４】
また、本発明の実施例による上下動作機能を持つ美容装置によれば、前記磁性体結合部は、前記ガイドホールを貫通して前記動作板が装着される動作板装着部、前記動作板装着部から伸び、前記磁場変化によって前記磁性体結合部を運動させるための磁性体が装着される磁性体装着部、及び前記磁性体結合部及び前記磁性体装着部を連結し、前記ガイドホールの内側に伸びたフランジ部の下面に接触することによって前記磁性体結合部の運動を限定するフランジ接触部を含むことを特徴とする。
【００１５】
また、本発明の実施例による上下動作機能を持つ美容装置によれば、前記ガイド部の底面または前記動作板の下面に形成され、前記ガイド部及び前記動作板の接触によって発生する騷音を除去するための騷音防止部を含むことを特徴とする。
【００１６】
また、本発明の実施例による上下動作機能を持つ美容装置によれば、前記ガイドホールの内側に伸びて前記磁性体結合部の運動を限定するフランジ部の下面または前記フランジ部の下面に接触することによって前記磁性体結合部の運動を限定するフランジ接触部に形成され、前記フランジ部及び前記フランジ接触部の接触によって発生する騷音を除去するための騷音防止部を含むことを特徴とする。
【００１７】
また、本発明の実施例による上下動作機能を持つ美容装置によれば、前記磁場発生部は、前記下部ケースの内側に装着された回路基板上に形成された交流波形発生部、前記下部ケースの内側に装着され、前記磁性体結合部に装着された磁性体を取り囲むように形成されたコイル、及び前記交流波形発生部の動作を制御するように前記回路基板上に形成された制御部を含むことを特徴とする。
【００１８】
また、本発明の実施例による上下動作機能を持つ美容装置によれば、前記磁場発生部は、前記下部ケースの外側に装着されたスイッチ部のオン／オフ動作によって、前記下部ケースの内側に装着された電源部と電気的に連結されることを特徴とする。
【発明の効果】
【００１９】
前述したように、本発明による上下動作機能を持つ美容装置によれば、パフパッドに収容されるガイド部の底面に空間確保突起を形成することにより、パフパッドを皮膚に接触させて圧力をかけてもパフパッドの内部に最小領域を確保することができ、美容装置の使用感を向上させることができるという効果が得られる。
【００２０】
また、本発明による上下動作機能を持つ美容装置によれば、パフパッドを振動させる時変磁場の振動数を調節することにより、皮膚に加わる打撃感を制御することができるという効果も得られる。
【００２１】
また、本発明による上下動作機能を持つ美容装置によれば、ガイド部の内側で時変磁場によって運動する磁性体結合部がガイド部から離脱することを防止することができるという効果も得られる。
【図面の簡単な説明】
【００２２】
【図１ａ】従来技術の問題点を説明するための図である。
【図１ｂ】従来技術の問題点を説明するための図である。
【図１ｃ】従来技術の問題点を説明するための図である。
【図２】本発明の実施例による上下動作機能を持つ美容装置を示す斜視図である。
【図３】本発明の実施例による美容装置を分解して示す部分断面分解図である。
【図４ａ】図２の切断線Ａ−Ａ’に沿って切り取って断面を示す断面図である。
【図４ｂ】図２の切断線Ｂ−Ｂ’に沿って切り取って断面を示す断面図である。
【図５】本発明の実施例による美容装置に適用される動作回路を概略的に示すブロック図である。
【図６ａ】本発明の実施例による上下動作機能を持つ美容装置の動作を示す図である。
【図６ｂ】本発明の実施例による上下動作機能を持つ美容装置の動作を示す図である。
【発明を実施するための形態】
【００２３】
本発明の前記及びその他の目的及び新規の特徴はこの明細書の技術及び添付図面によってより明になるであろう。
【００２４】
以下、図２〜図５を参照して本発明の実施例による上下動作機能を持つ美容装置の構成を詳細に説明する。
【００２５】
図２は本発明の実施例による上下動作機能を持つ美容装置を示す斜視図、図３は本発明の実施例による美容装置を分解して示す部分断面分解図である。図４ａ及び図４ｂはそれぞれ図２の切断線Ａ−Ａ’及びＢ−Ｂ’に沿って切り取って断面を示す断面図、図５は本発明の実施例による美容装置に適用される動作回路を概略的に示すブロック図である。
【００２６】
図２〜図５を参照すれば、本発明の実施例による美容装置はケース部１１を備えている。前記ケース部１１は、パウダーを収容する上部ケース１３及び前記上部ケース１３に着脱する下部ケース１５を含む。前記上部ケース１３及び下部ケース１５とが結合することによって内部空間が形成される。前記上部ケース１３は下部ケース１５と螺合することによって着脱可能であることが好ましい。
【００２７】
前記上部ケース１３は、パウダーを収容するためのパウダー収容部１７及びパフパッド１９を収容するパッド収容部２１を備えている。前記パウダー収容部１７はパッド収容部２１に螺合することによって着脱可能である。前記パウダー収容部１７が装着されるパッド収容部２１の内壁には、パウダー収容部１７に貯蔵されたパウダーの気密性を維持するためのパッキング手段２３、例えばオリング（Ｏ−ｒｉｎｇ）が装着できる。前記パッド収容部２１はパフパッド１９にパウダーを供給するためのパウダー移動ホール２５を備えている。
【００２８】
一方、前記上部ケース１３及び下部ケース１５の間には、下部ケース１５の底面から順に磁場発生部２７及びガイド部２９が位置する。前記磁場発生部２７は時変磁場（ｔｉｍｅ ｖａｒｙｉｎｇ ｍａｇｎｅｔｉｃ ｆｉｅｌｄ）を生成する。前記磁場発生部２７は、下部ケース１５の内側に装着された回路基板３１上に形成された交流波形発生部３３、コイル３５及び制御部３７を備えている。前記回路基板３１は、電極接触片４０を介して、下部ケース１５の下部に装着された電源部３９と電気的に連結される。この場合、前記電源部３９は、直流電源、例えば商用の１次電池または２次電池を備えることができ、前記下部ケース１５の下部に螺合方式で着脱する下部キャップ４１を脱着させることによって手軽く入れ替ることができる。
【００２９】
前記交流波形発生部３３は下部ケース１５に貫設されたスイッチ部４３を介して電源部３９に電気的に連結される。前記交流波形発生部３３は、電源部３９から入力された直流電圧を交流電圧に転換してコイル３５に供給することができる。例えば、前記交流波形発生部３３は、タイマーＩＣ（ｔｉｍｅｒ ＩＣ）を使ってパルス（ｐｕｌｓｅ）を生成し、時定数によってパフパッド１９の所望の振動数とデューティ比（ｄｕｔｙ ｒａｔｉｏ）を決定し、トランジスタ４個を備えるＨ−ｂｒｉｄｇｅ回路を適用してコイル３５に交流電圧を印加することができる。この場合、前記スイッチ部４３は押している間のみ動作し、スイッチオフの際には交流波形発生部３３に印加される電流の流れを遮断するタックスイッチ（ｔａｃｋ ｓｗｉｔｃｈ）を採用することができる。
【００３０】
前記コイル３５は下部ケース１５に装着される円筒状のコイル収容部４５に巻き付けられ、前記コイル収容部４５は磁性体が位置する磁性体貫通孔４７を備えている。前記磁性体は、コイル３５から生成される磁場の変化によって引力及び斥力を受けて磁性体貫通孔４７の内側で運動する。前記制御部３７は、回路基板３１上に形成された交流波形発生部３３の動作を制御することにより、パフパッド１９の振動数を決定することができる。
【００３１】
一方、前記ガイド部２９はコイル収容部４５の上部において下部ケース１５の内側に装着される。前記ガイド部２９は、ガイドホール４９、フランジ部５１及び空間確保突起５３を備えている。前記ガイドホール４９には、磁性体が結合してコイル３５から生成される磁場の変化によって運動する磁性体結合部５５が位置する。この場合、前記磁性体結合部５５はコイル収容部４５の磁性体貫通孔４７及びガイド部２９のガイドホール４９の内部で運動（動作）することが好ましい。
【００３２】
前記フランジ部５１はガイドホール４９の内側に伸びて磁性体結合部５５の運動を限定する。言い換えれば、前記フランジ部５１は、運動する磁性体結合部５５がガイド部２９の外側に抜け出ることを防止することができる。前記空間確保突起５３は、パフパッド１９の内側においてガイド部２９の底面から突出する。前記空間確保突起５３は複数備えることが好ましい。前記空間確保突起５３は、パフパッド１９が皮膚に接触して圧力を受ける場合、パフパッド１９が皮膚の屈曲に沿って一様に振動を伝達するようにパフパッド１９内部の所定空間を維持する。よって、前記空間確保突起５３は、パフパッド１９を皮膚に密着して振動させることにより、パフパッド１９の使用感を向上させることができる。
【００３３】
前記磁性体結合部５５は、コイル３５から生成される磁場の変化によって磁性体貫通孔４７及びガイド部２９のガイドホール４９に沿って運動する。前記磁性体結合部５５は、ガイドホール４９を貫通する動作板装着部５７、磁性体装着部５９及びフランジ接触部６１を備えている。前記動作板装着部５７はガイドホール４９を貫通して運動し、前記ガイド部２９上で磁性体結合部５５とともに運動する動作板６３に結合する。この場合、前記動作板６３は空間確保突起５３が貫通するための突起貫通孔６５を備えている。
【００３４】
前記磁性体装着部５９は動作板装着部５７から伸びて磁性体貫通孔４７の内側に位置する。前記磁性体装着部５９には磁性体、例えば磁石が装着され、前記磁石はコイル３５から生成される磁場の変化によって磁性体結合部５５を運動させる。前記磁性体装着部５９は動作板装着部５７より広い幅を持つことが好ましい。前記フランジ接触部６１は動作板装着部５７及び磁性体装着部５９を連結し、前記磁性体結合部５５が運動する場合、フランジ部５１の下面に接触することによって磁性体結合部５５の運動を限定する。よって、前記フランジ部５１及び動作板６３はガイド部２９の直線運動長を限定することにより、動作板６３がパフパッド１９に加える振動を調節する。
【００３５】
この場合、前記ガイド部２９の底面または動作板６３の下面に形成されて、ガイド部２９及び動作板６３の接触によって発生する騷音を除去するための騷音防止部（図示せず）を備えることができる。例えば、前記騷音防止部はスポンジまたはゴムなどのように弾性力を持つ物質から形成されることが好ましい。また、前記騷音防止部はフランジ部５１の下面またはフランジ接触部６１に形成され、フランジ部５１及びフランジ接触部６１の接触によって発生する騷音を除去することができる。
【００３６】
次に、図４ｂ、図６ａ及び図６ｂを参照して本発明の実施例による上下動作機能を持つ美容装置の動作を詳細に説明する。
【００３７】
図６ａ及び図６ｂは本発明の実施例による上下動作機能を持つ美容装置の動作を示す図である。
【００３８】
図４ｂ、図６ａ及び図６ｂを参照すれば、本発明の美容装置は、スイッチ部４３がオフ状態の場合には、交流波形発生部３３に電流が印加されずコイル３５の内部に磁場が生成されないので、パフパッド１９に振動を印加しない。しかし、使用者がスイッチ部４３をオン状態でずっと維持する場合、交流波形発生部３３に電流が印加されて直流の電源部３９から交流電圧を生成する。
【００３９】
前記交流電圧はコイル３５に時変磁場を生成し、前記時変磁場によって磁性体装着部５９に付着された磁石５９ａに引力または斥力が交互に印加される。前記磁石５９ａが付着された磁性体結合部５５は磁性体貫通孔４７及びガイドホール４９内で往復運動し、前記磁性体結合部５５とともに運動する動作板６３がパフパッド１９の内側でパフパッド１９の振動を発生させる。
【００４０】
この場合、前記美容装置は、ガイド部２９に付着された空間確保突起５３によってパフパッド１９の内部の最小空間を確保することにより、皮膚に付着されたパフパッド１９の使用感を向上させることができる。
【００４１】
以上、本発明者によってなされた発明を前記実施例に基づいて具体的に説明したが、本発明は前記実施例に限定されるものではなく、その要旨を逸脱しない範疇内で多様に変更可能であるのは言うまでもない。
【符号の説明】
【００４２】
１５    下部ケース
１９    パフパッド
２７    磁場発生部
２９    ガイド部
３３    交流波形発生部
３５    コイル
３９    電源部
４３    スイッチ部
４５    コイル収容部
４７    磁性体貫通孔
４９    ガイドホール
５１    フランジ部
５３    空間確保突起
５５    磁性体結合部
５７    動作板装着部
５９    磁性体装着部
５９ａ    磁石
６１    フランジ接触部
６３    動作板
６５    突起貫通孔
【図１ａ】
0005759075.tif 000002
【図１ｂ】
0005759075.tif 000003
【図１ｃ】
0005759075.tif 000004
【図２】
0005759075.tif 000005
【図３】
0005759075.tif 000006
【図４ａ】
0005759075.tif 000007
【図４ｂ】
0005759075.tif 000008
【図５】
0005759075.tif 000009
【図６ａ】
0005759075.tif 000010
【図６ｂ】
0005759075.tif 000011